(57)【特許請求の範囲】
【請求項１】
ＯＬＥＤディスプレイの明るさと均一性の変動を補正する方法であって、
共通する電力信号と１つまたは複数の発光素子を局所的に制御するための局所的制御信号を複数の発光素子を備えるＯＬＥＤディスプレイに供給し、
前記ＯＬＥＤディスプレイの各発光素子に情報を表示するための、第１のビット深度を有するディジタル入力信号を供給し、
前記ディジタル入力信号の所定数の最上位ビットがルックアップ表に与えられ、前記所定数の最上位ビットの範囲内で全体的補正因子が提供され、
前記ディジタル入力信号を前記第１のビット深度よりも大きな第２のビット深度を有する変換されたディジタル信号に変換し、
前記変換されたディジタル信号に、全ての発光素子に関する前記全体的補正因子を乗算することによって、全体的に補正されたディジタル信号を生成し、
前記全体的に補正されたディジタル信号に、１つまたは複数の発光素子に関する局所的補正因子を乗算することによって、補正されたディジタル信号を生成し、
前記補正されたディジタル信号をアナログ信号に変換して、前記ＯＬＥＤディスプレイの発光素子を駆動するための駆動信号を生成し、
前記全体的補正因子は、前記ディジタル入力信号が公称値であるときのＯＬＥＤディスプレイの所望の明るさを、前記ディジタル入力信号が公称値であるときのＯＬＥＤディスプレイの明るさの平均値で除算した乗算因子であり、
前記局所的補正因子は、前記ディジタル入力信号が公称値であるときの発光素子の所望の明るさを、前記ディジタル入力信号が公称値であるときのＯＬＥＤディスプレイの局所的な明るさで除算した乗算因子であることを特徴とする方法。
【請求項２】
前記全体的補正因子及び前記局所的補正因子を用いる代わりに、前記全体的補正因子及び前記局所的補正因子を掛け合わせることによって生成した複合補正因子を前記の変換されたディジタル信号に乗算することによって、前記補正されたディジタル信号を生成し、
前記複合補正因子の最大値は、所望の明るさでの前記ＯＬＥＤディスプレイの予想寿命に対するディスプレイ材料の予想寿命の比を超えないように設定される、
請求項１に記載の方法。
【請求項３】
上記発光素子を行と列の構成にして行と列によって制御し、共通する単一の局所的補正因子を、１つの行または１つの列の各発光素子に適用する、請求項１に記載の方法。
【請求項４】
１つの行または１つの列の各発光素子に適用する上記共通する単一の局所的補正因子が、その行または列の発光素子の局所的補正因子の平均値、最大値、最小値のいずれかである、請求項３に記載の方法。
【発明の詳細な説明】
【技術分野】
【０００１】
本発明は、複数の発光素子を有するOLEDディスプレイに関するものであり、より詳細には、ディスプレイの不均一性の補正に関する。
【背景技術】
【０００２】
有機発光ダイオード（OLED）が数年前から知られており、最近は市販のディスプレイ装置で利用されている。このような装置は、アクティブ-マトリックス制御方式とパッシブ-マトリックス制御方式の両方を利用しており、複数の発光素子を用いることができる。発光素子は一般に2次元アレイに配置されていて、各発光素子には行と列のアドレスがある。そして各発光素子にはデータ値が付随していて、その付随するデータ値に対応する明るさで発光する。しかしこのようなディスプレイにはさまざまな欠点があるため、ディスプレイの品質が制限される。特に、OLEDディスプレイには発光素子が不均一であるという問題がある。不均一性は、ディスプレイの発光材料が原因である可能性があり、アクティブ・マトリックス・ディスプレイでは、発光素子の駆動に用いる薄膜トランジスタの変動も原因である可能性がある。
【０００３】
ディスプレイの不均一性を補正するいろいろな方法が提案されてきた。2000年6月27日にSalamに付与された「マッチした固体画素を備えるマトリックス・ディスプレイ」という名称のアメリカ合衆国特許第6,081,073号には、画素の明るさの変動を減らすための処理・制御手段を備えるディスプレイ・マトリックスが記載されている。この特許文書には、ディスプレイ中で最も暗い画素と各画素の明るさの比に基づいて各画素に線形倍率法を適用することが記載されている。しかしこの方法だとディスプレイの明るさが全体的に低下し、画素が動作することのできるビット深度の低下と変動が起こるであろう。
【０００４】
2002年7月2日にShenらに付与された「ディスプレイ装置を較正し、時間経過に伴うその効率の損失を自動的に補償するための方法と装置」という名称のアメリカ合衆国特許第6,414,661 B1号には、OLEDディスプレイ装置に含まれる各有機発光ダイオードの発光効率の長期的な変動を、各画素に印加される累積駆動電流に基づいて各画素の光出力効率の低下を計算して予測することによって補正し、各画素に対する次の駆動電流に適用する補正係数を導出する方法と、この方法に関係するシステムが記載されている。均一な光出力を得るには、ディスプレイ装置を較正した後にこの補正システムを利用するのが最良である。この特許には、ルックアップ表を用いて不均一性を補正する手段が提示されている。しかしこの方法ではディスプレイのさまざまな画素のビット深度の変動と低下が小さくならず、大きなルックアップ表と、複雑な計算と、実現するための回路が必要になる。
【０００５】
2002年10月29日にFanに付与された「個々の画素を較正することによって有機発光ディスプレイの表示の均一性を向上させる方法」という名称のアメリカ合衆国特許第6,473,065 B1号には、OLEDの表示の均一性を向上させる方法が記載されている。OLEDの表示の均一性を向上させるには、すべての有機発光素子の表示特性を測定し、各有機発光素子の較正パラメータを、対応する有機発光素子に関して測定したその表示特性から得る。各有機発光素子の較正パラメータは、較正メモリに記憶される。この方法では、均一性を補正するのにルックアップ表と計算回路の組み合わせを利用する。しかしこの方法は、実現するのに複雑で大きな電子的手段を使用しているという問題だけでなく、ディスプレイのグレイ-スケールのビット深度が低下し変動するという問題もある。
【０００６】
別の方法は、均一性を補正するのに複雑な感知・駆動回路に頼っている。例えば2002年3月14日に公開されたHackらの「均一なアクティブ・マトリックスOLEDディスプレイ」という名称のアメリカ合衆国特許出願公開2002/0030647に、そのような方法が記載されている。この設計では、アクティブ・マトリックス・ディスプレイが画素アレイを備えており、各画素には、有機発光デバイスと、少なくとも1つの薄膜トランジスタが含まれている。選択した明るさで画素を発光させることのできる均一性補正回路が画素アレイに接続されている。均一性補正回路は、画素の明るさを、選択した明るさの値から例えば5〜10％以上は変動しない範囲に維持することができる。別の具体例では、均一性の改善が、各画素内の複雑な画素駆動回路群を通じて実現される。例えば1999年3月31日に公開されたKaneらによる「アクティブ・マトリックス・ディスプレイ・システムとその駆動方法」という名称のヨーロッパ特許公開第0905673号を参照のこと。これらの方法は、不都合なことに、OLEDディスプレイ中で発光に利用できる面積を小さくする可能性や、製造収率を低下させる可能性があり、しかも画素の回路そのものの均一性の変動を受けやすい。
【０００７】
したがってOLEDディスプレイを均一にするため、これらの問題点を解決した改善された方法が必要とされている。
【発明の開示】
【課題を解決するための手段】
【０００８】
この要求は、本発明により、OLEDディスプレイの明るさと均一性の変動を補正する方法であって、a）共通する1つの電力信号と局所的制御信号群を供給される複数の発光素子を備えるOLEDディスプレイを用意し；b）各発光素子に情報を表示するための、第1のビット深度を有するディジタル入力信号を供給し；c）そのディジタル入力信号を変換して、第1のビット深度よりも大きな第2のビット深度を有する変換されたディジタル信号にし；d）局所的補正因子を適用することによってその変換された信号を補正して、ディスプレイの1つ以上の発光素子のための補正されたディジタル信号を生成させる操作を含む方法を提供することによって満たされる。
【発明の効果】
【０００９】
本発明のさまざまな実施態様によれば、ディスプレイの均一性を向上させることで、複雑な計算を減らし、すべての発光素子に関して一様なビット深度を維持し、あらかじめ決めた明るさの光を出し、製造プロセスの収率を向上させ、均一性の計算と変換を行なうのに必要な電子回路を減らすという利点を提供することができる。
【発明を実施するための最良の形態】
【００１０】
ここで図1を参照する。本発明は、OLEDディスプレイの明るさと均一性の変動を補正する方法であって、共通する1つの電力信号と局所的制御信号群を複数の発光素子を有するOLEDディスプレイに提供するステップ8と；各発光素子に情報を表示するための、第1のビット深度を有するディジタル入力信号を供給するステップ10と；そのディジタル入力信号を変換して、第1のビット深度よりも大きな第2のビット深度を有する変換されたディジタル信号にするステップ12と；その変換された信号に全発光素子のための全体補正因子を掛けることによって整数倍して全体的に補正された信号を生成させるステップ14と；その全体的に補正された信号に局所的補正因子を掛けることによって整数倍して、1つ以上の発光素子のための補正された出力信号を生成させるステップ18を含む方法に関する。
【００１１】
整数倍演算は、入力される整数値を整数倍して第2の出力整数値にする演算である。このような演算はハードウエアで簡単に実現されるため、従来の集積回路の中に構成するのが難しかったりコストがかかったりする複雑な浮動小数点の計算や除算を必要としない。さらに、整数乗算器を用いると、数学的変換を行なうための大きなルックアップ表の必要性が顕著に少なくなる。例えば256行×256列で、3色、信号値8ビットのOLEDディスプレイは、各発光素子のそれぞれの色について可能な各信号値での補正値を記憶するのに約50Mバイトのデータを記憶する必要があろう。今日利用可能な集積回路はこのような記憶密度を容易に実現できるが、ディスプレイで用いられる制御装置に必要な記憶密度と記憶速度を要求される低コストで容易に集積化することはできない。本発明の設計で必要とされるのは、3色系で500キロバイト未満である。これは、要求されるコストで容易に実現できる。さらに、本発明で行なう全体的補正と局所的補正を単一の操作ステップにまとめることができるため、ハードウエアの必要性がさらに減る。
【００１２】
図2には、本発明の簡単な一実施態様を示してある。1つのディジタル入力データ信号20が、1つのアドレス値22とともに入力される。全体的補正因子26がメモリ24に記憶されている。ディジタル入力データ信号20は、入力ビット深度（8ビットとして表示）からより大きなビット深度（10ビットとして表示）のディジタル・データ信号30へと変換される。これは、ディジタル入力データ信号20の最下位ビットに1ビットを付加し21（その結果、9ビット値が形成され、各ディジタル入力データ信号20は実質的に2倍になる）、ディジタル入力データ信号20の最上位ビットに1ビットを付加する23（その結果、ビット深度がより大きな10ビットの整数で、値が偶数であり、0〜510の範囲にわたるディジタル・データ信号が形成される）ことによって容易に実現される。ビット深度がより大きなこのディジタル・データ信号30は、整数乗算器27を利用して全体的補正因子を掛けられることで26、全体的な補正がなされた10ビットの信号32になる。局所的補正値34がルックアップ表36に記憶されており、入力アドレス値22によってその局所的補正値34にアクセスする。全体的な補正がなされたビット深度がより大きなディジタル・データ信号32は、整数乗算器29を利用して局所的補正因子を掛けられ34、ディジタル入力データ信号20よりもビット深度が大きな補正されたディジタル信号40になる。全体的補正が局所的補正よりも前に行なわれるように図示してあるが、補正のダイナミック・レンジを最適化するとともに信号で利用できるビットを最もうまく利用するため、全体的補正と局所的補正の順番を入れ換えてもよい。次に、この補正された信号は10ビットのD/A変換器42によって変換され、OLEDディスプレイの駆動に適した駆動信号44になる。追加の駆動回路をD/A変換器42と組み合わせ、OLEDディスプレイに適した電力、データ、制御信号を提供することができる。カラー・ディスプレイのそれぞれの色に別々の回路を割り当てることができる。
【００１３】
上記の2段階補正は、単一の操作ステップにまとめることができる。図3を参照すると、ルックアップ表46には、ビット深度がより大きな補正されたディジタル信号40にするために第1の整数乗算器27に適用する複合補正値48が記憶されている。しかし複合乗算の範囲は2段階プロセスよりも広くなる可能性があるため、速度がより遅くなる可能性がある。
【００１４】
従来技術で知られているように、輝度効率が低下した（したがって不均一な）発光素子を、出力が200cd/m2となるはずのコード値を有する信号によって駆動したとき、その発光素子がほんの150cd/m2しか出力しない場合には、望む出力を実際の出力で割った比をコード値に掛けることによってその信号を補正するとよい。ここで扱っている具体例では、その比は200/150=1.333である（単純にするため、コード値と明るさの間に線形関係を仮定する）。例えば信号コード値の最大値（例えば8ビット信号では255）に対応して200cd/m2という明るさが出力されることが望ましかろう。しかしこの場合には、値が191（すなわち255/1.333）を超える補正されたどのコード値も255という最大コード値にしか設定されない可能性があり、適切な補正を行なうことができない。したがって可能な異なる出力値は191通りしか存在していない。これはビット深度の低下であり、画像の表示に輪郭が現われる可能性がある（グレー・スケール減少）。さらに、最大コード値が最大駆動電圧に対応している場合には、低効率の発光素子を補正することができない。従来技術では、最大コード値よりも小さくて最大駆動電圧よりも小さな駆動電圧に対応する補正されていないコード値を用いてこの事態に対処している。したがってコード値を補正するとき、コード値は、やはり同じビット深度の範囲内に留まり、実現可能な駆動電圧に対応することになろう。例えば191というコード値で出力が200cd/m2となるものとする。191というコード値は補正すると255以下にできるため、200cd/m2という出力を得るための電圧はより大きくなる。しかし信号が利用できるビット深度は、相変わらず可能な異なる191通りの出力値に限定されるであろう。
【００１５】
本発明によれば、均一性を補正するときに発光素子のビット深度をより大きくすることで、望む明るさと望むビット深度の両方が得られるようにする。上記の具体例を利用すると、200というコード値を400という値に変換した後に1.333を掛け、補正されたコード値として533を得る。より大きなビット深度の利点を維持するためには、拡張されたビット深度を持つコード値を、例えば10ビットのD/A変換器を用いることで、ディスプレイにとってその拡張されたビット深度に合った駆動信号に変換してOLEDディスプレイを駆動する必要がある。さらに、10ビットのD/A変換器が8ビットの信号値の範囲よりも広い駆動範囲を有する場合には、不均一性を補正することができる。このような計算を行なうのに必要なハードウエアとしての集積回路は従来技術において周知である。
【００１６】
ディスプレイの各発光素子の明るさを測定する手段は公知であり、例えば上記の参考文献に記載されている。特別な一実施態様では、2004年6月1日に出願されて譲受人に譲渡された係属中のアメリカ合衆国特許出願シリアル番号第10/858,260号に記載されているシステムと方法を利用することができる。例えば均一性補正値は、ディジタル信号が公称値であるときのディスプレイの明るさの平均値を計算することによって得られる。ここに、全体的補正因子とは、ディジタル信号が公称値であるときのディスプレイの望ましい明るさを、ディジタル信号が公称値であるときのディスプレイの明るさの平均値で割った乗算因子である。あるいは各発光素子の明るさとディスプレイの望ましい明るさが与えられると、ディスプレイの各発光素子のための全体的補正因子は、ディスプレイ中で最も明るい発光素子を見つけることによって計算できる。この場合の全体的補正因子は、望ましい明るさを最も明るい発光素子の明るさで割った値になる。最も明るい発光素子がその発光素子の望ましい明るさよりも明るい場合には、補正因子によってその発光素子の明るさを低下させる必要がある（すなわち、全体的補正因子が1未満）。分数を用いた整数の乗算は、ビット範囲が2つの入力値の大きいほうよりも大きい乗算器を用いて容易に実現される。このような乗算法はコンピュータ科学でよく知られている。本発明によれば、ディスプレイの全体的な明るさと均一性に関する条件を満たすのに除算や浮動小数点の演算は必要でない。
【００１７】
各発光素子に関係する局所的補正因子は、ディジタル信号が公称値であるときの1つの発光素子の局所的な明るさを計算することによって得られる。ここに、局所的補正因子とは、ディジタル信号が公称値であるときの発光素子の望ましい明るさを、ディジタル信号が公称値であるときのディスプレイの局所的な明るさで割った乗算因子である。全体的補正因子をまず最初に各発光素子に適用し、次いで各発光素子を望ましい明るさで発光させるのに必要な局所的補正因子を計算せねばならない。補正因子は1よりも大きな値になろう。なぜなら、全体的補正因子は最も明るい発光素子を用いて計算したからである。局所的補正因子は、望ましい明るさを、全体的に補正した発光素子の明るさで割った値になろう。局所的補正因子を全体的補正因子と掛け合わせることによって組み合わせ、複合補正因子にすることができる。
【００１８】
本発明の好ましい一実施態様によると、信号のビット深度を完全に維持するには、ディジタル入力値の最下位ビットに付加するビット数が、複合補正因子の対数（底は2）の絶対値と少なくとも同じ大きさである必要がある。すなわち、ある1つの発光素子に関する複合補正因子が1/2を掛けることである場合には、ディジタル入力値の最下位ビットに付加するビット数は少なくとも1でなければならない。ある1つの発光素子に関する複合補正因子が1/4を掛けることである場合には、ディジタル入力値の最下位ビットに付加するビット数は少なくとも2でなければならない。この制限に合わない場合には得られるビット深度が小さくなるが、それでも付加されるビットがない信号と比べて利点があろう。
【００１９】
他方、複合補正値が1よりも大きい場合、すなわち発光素子がより明るくなる必要がある場合には、（本発明の好ましい実施態様でやはり信号のビット深度を完全に維持するには）ディジタル入力信号の最上位ビットに付加されるビット数が、複合補正因子の対数（底は2）値以上の値である必要がある。例えばある1つの発光素子に関する複合補正因子が2を掛けることである場合には、ディジタル入力信号の最上位ビットに付加されるビット数は少なくとも1でなければならない。ある1つの発光素子に関する複合補正因子が4を掛けることである場合には、ディジタル入力信号の最上位ビットに付加されるビット数は少なくとも2でなければならない。この制限に合わない場合には、得られるビット深度が小さくなる（この場合にも、付加されるビットがない信号と比べて利点があろう）。
【００２０】
全体的補正因子の計算は、アレイ内の最も暗い発光素子の明るさを用いて、またはアレイ内の全発光素子の明るさの平均値を用いて行なうこともできる。その場合、全体的補正因子と局所的補正因子はそれぞれ変化する可能性があるが、複合補正因子は変化しない。
【００２１】
OLEDの発光素子の明るさは、ディスプレイに供給されるコード値と必ずしも線形な関係にあるわけではない。このようなディスプレイで使用される駆動回路は、コード値とそれに付随する発光素子の明るさの関係を変換する関数を提供するが、発光素子に対する望ましい補正因子は、異なる明るさのレベルで非線形に変化している可能性がある。出願人による実験から、これは、定義からして望ましい挙動または予想された挙動をしない不均一な発光素子に特に当てはまることがわかった。したがって、発光素子の明るさに応じて変化する可変式全体的補正を行なうことが有用である。これは、全発光素子の可能なすべての明るさのレベルについて補正されたコード値を有するルックアップ表を用意することによって実現される。しかしすでに指摘したように、これは実際の製品では現実的ではない。しかし出願人による実験から、必要な全体的補正は、コード値の範囲の一部分の全体にわたってしばしば線形であることがわかった。したがって、望ましい曲線に対する一連の線形近似によって可変式全体的補正値を得ることができる。図4を参照すると、データ値の4つの最上位ビットが可変式全体的補正ルックアップ表50に与えられ、その4つの最上位ビットの範囲内でコード値に対する補正因子が提供されることがわかる。使用するビットの数は、用途に応じて変えることができる。乗算器に加えて追加の整数加算器／減算器52を用意し、出力値をずらすことができる。同様に、同じデータ値を場合によっては局所的補正ルックアップ表に提供し（点線で示してある）、適切な可変式局所的補正値を選択することができる。しかしよりカスタム化された補正の必要性は、局所的補正ではより少ない。なぜなら、望ましい出力レベルからの均一性の変動が一般により少ないからである。さらに、局所的補正ルックアップ表は発光素子ごとに別々の値を有するため、各発光素子に多数の局所的補正値を関連づけると局所的補正ルックアップ表が急速に大きくなる。したがって2段階補正を利用することで、OLEDディスプレイの均一性を改善するとともに、全体として必要なハードウエアを減らすことができる。
【００２２】
OLEDデバイスの性質が理由で、局所的補正とは別に全体的補正を考慮することが重要である。OLEDデバイスの変動には少なくとも2つの原因がある。それは、OLEDの発光材料の性能の変動と、発光材料の駆動に用いるエレクトロニクスの変動である。出願人が製造プロセスにおいて観察したように、発光材料の変動は全体的である傾向がある（必ずそうなるわけではないが）のに対し、エレクトロニクス（例えば薄膜駆動回路）の変動は、局所的である傾向がある（必ずそうなるわけではないが）。
【００２３】
典型的な用途では、製造後にディスプレイをグループに分類し、各グループを異なる目的で使用する。いくつかの用途では、欠陥のある発光素子がないか、ほんの数個しかないディスプレイが必要とされる。別の用途では、ある範囲内でだけ変動が許容でき、さらに別の用途では、寿命条件が異なっている。本発明により、OLEDディスプレイの性能を、目的とする用途に合うようにカスタム化する手段が提供される。OLEDデバイスは、その中を通過する電流に応じて光が発生することがよく知られている。電流が材料内を通過すると、その材料が劣化し、効率が低下する。発光素子に補正因子を適用してより明るくすると発光素子により大きな電流が流れるため、その発光素子の寿命が低下する一方で均一性が向上する。
【００２４】
本発明の一実施態様によると、OLEDに適用される補正因子は、材料の予想寿命ならびに予定しているディスプレイの用途での寿命条件と関係づけることができる。複合補正因子の最大値は、例えば予定している用途でのディスプレイの予想寿命に対するディスプレイ材料の予想寿命の比を超えないように設定するとよい。例えば望むレベルの明るさでのディスプレイの予想寿命が10年であり、そのディスプレイを5年間使用する必要がある場合には、このディスプレイのための複合補正因子の最大値は、電流と寿命の関係が線形であるならば2を超えないように設定するとよい。この関係が線形でないのであれば、寿命と電流密度を関係づける変換が必要である。この関係は経験的に得られる。したがってディスプレイのための複合補正因子は、用途による制限がある可能性がある。あるいはこの関係を、ディスプレイの1つの用途で均一性の補正を（限界まで）可能にすることにより製造プロセスの収率を向上させる方法と見なすことができるため、廃棄されたかもしれないディスプレイを今や使用できるようになる。さらに、より効率的な発光素子を有するOLEDデバイスは必要な電力が少なくなる可能性があるため、電力条件がより厳しい用途が可能になる。
【００２５】
さらに、ディスプレイに対する条件によっては、特定の発光素子の均一性を補正することによって、または発光素子の均一性を部分的にだけ補正することによって製造の収率を改善することもできる。すでに指摘したように、いくつかの用途では、不均一な発光素子が多数あっても許容される。用途が何であるかに応じ、ユーザーにとってあまり目立たない発光素子を補正しないままにするか一部だけを補正することにより、複合補正因子の最大値を上記の限界値よりも小さな値に留めることができる。例えばある数の不良な発光素子を許容できる場合には、残りを本発明に従って補正し、許容可能なディスプレイにすることができる。これほど極端ではない場合には、そのディスプレイの用途での寿命条件に合致させるために不良な発光素子の一部を補正し、ディスプレイの均一性を部分的に補正するとよい。したがって均一性の全体的補正因子と局所的補正因子は、補正可能な範囲を超える発光素子を除外して選択するか、そのような発光素子の一部だけを補正するように選択することができる。この範囲は、上記のように、用途が何であるかによって異なる可能性がある。
【００２６】
補正しない発光素子を除外することのできる多数の方法がある。例えば、最小閾値または最大閾値を設定し、その閾値の外ではどの発光素子も補正しないようにすることができる。この閾値は、材料の予想寿命と個々の用途における条件を考慮することによって設定できる。
【００２７】
ハードウエアとしての補正回路の設計を変えることにより、均一性が許容可能な範囲に収まる発光素子を除外することもできる。例えばディスプレイに必要とされるデータ速度と信号のビット深度が非常に大きい場合には、全発光素子のための信号補正法はコストまたは時間がかかり過ぎる可能性がある。そのような場合、許容できる範囲外だが補正可能な閾値の範囲内にある発光素子だけを補正するとよかろう。図5を参照すると、これは、特定のアドレスまたは特定のデータ値に関する補正計算を省略する制御回路56を設けることによって実現できることがわかる。
【００２８】
本発明の別の一実施態様では、単純な補正メカニズムを利用し、より単純でサイズがより小さな補正用ハードウエアにすることができる。出願人は、重要な不均一性問題の多くが発光素子の行と列に関係していることを見いだした。これは、製造プロセスに原因がある。すべての発光素子に個別の補正因子を与えるのではなく、行用補正因子と列用補正因子を使用することができよう。その場合、全体的補正因子は上記のようにして得られる。しかし局所的補正因子は、行補正と列補正の組み合わせである。各行の行補正は、各行の補正の組み合わせにすることができ、各列の列補正は、各列の補正の組み合わせにすることができる。適切な組み合わせとしては、それぞれの行または列における補正の平均値、最大値、最小値のいずれかが挙げられる。最良の補正は、まず最初に行または列の一方に対する補正を計算してその補正をディスプレイの発光素子に適用した後、他方を得ることによって実現される。
【００２９】
実際には、全体的補正を上記のようにして行なう。しかし局所的補正は2つの部分に分割される。それは、行補正と列補正である。ここで図6を参照する。行補正値60は行アドレス68のルックアップ表62に見いだされ、整数乗算器29に送られる。同様に、列補正値64は列アドレス70のルックアップ表66に見いだされ、別の整数乗算器31に送られる。この構成の利点は、必要なメモリが顕著に少なくなることである。256×256カラー・ディスプレイでは、行ルックアップ表と列ルックアップ表はそれぞれ、1つの色について256個の入力値しか必要としないのに対し、各発光素子の位置に関する別々の入力値を有する局所的補正ルックアップ表には256×256個の入力値が必要とされる。したがってこの方法を利用すると、個々の補正値をすべての発光素子のすべての明るさのレベルに適用することが、各行と各列のそれぞれの明るさに対して補正値を与えることによって可能になろう。全体的補正を行補正および列補正と組み合わせることで、必要なハードウエアをさらに減らすことができる。
【００３０】
発光素子を補正した信号のビット深度に対応するレベルで駆動するためには、駆動回路（変換器42）が電圧および／または電流の正しい範囲を与えることが重要である。例えば補正値がすべて1である場合には、補正されたディジタル出力信号に対応する明るさは、ディジタル入力信号に対応する明るさと同じでなければならない。言い換えるならば、駆動回路は、コード値と駆動レベルの予想範囲に対応できる必要がある。さらに、本発明によれば、いくつかの発光素子は、均一性が改善された補正された出力を出すのにより大きな電圧および／または電流を必要とする可能性がある。したがって駆動回路は、暗い発光素子により大きな電力を供給できるようにするため、駆動範囲がより広くなければならない。駆動回路の駆動範囲がより広くなっていない場合には、すなわちその回路が発光素子を補正前の最大値で駆動している場合には、発光素子を補正できないか、ディスプレイの全体的な明るさが低下するはずである。
【００３１】
全体的補正因子26は、局所的補正の後にアナログ回路に適用することができる。図7を参照すると、全体的アナログ補正76がなされている。この方法を図2に示した方法と組み合わせ、全体的アナログ補正を行なうとともに、局所的ディジタル・コード値の補正を実行することができる。この補正は、制御装置の内部か、例えばディスプレイの内部で行なうことができる。さらに別の一実施態様では、アナログ補正を電力回路において行なうことができる。例えば全体的補正を、ディスプレイに対する共通電力信号を調節することによって行なうことができる。ディスプレイの発光素子に供給する電力の増加は、ディスプレイのOLED素子に供給する電圧または電流を増やすことによって実現できる。図8を参照すると、全体的電力補正82がなされている。電力信号78に全体的補正因子26が掛けられて補正された電力信号80が発生し、すべての発光素子に共通して供給される。この補正は、例えば電位差計を用いて手作業で行なうこと、またはディジタル回路の制御下で行なうことができる。電力の全体的アナログ補正は、局所的ディジタル・コード値補正と組み合わせて行なう。
【００３２】
本発明をいくつかの好ましい実施態様を特に参照して詳細に説明してきたが、本発明の精神と範囲でさまざまな変形や改変を実現できることが理解されよう。
【図面の簡単な説明】
【００３３】
【図１】本発明の方法を説明するフロー・ダイヤグラムである。
【図２】本発明の一実施態様の概略図である。
【図３】本発明の別の一実施態様の概略図である。
【図４】本発明の別の一実施態様の概略図である。
【図５】本発明の別の一実施態様の概略図である。
【図６】本発明の別の一実施態様の概略図である。
【図７】本発明の別の一実施態様の概略図である。
【図８】本発明の別の一実施態様の概略図である。
【符号の説明】
【００３４】
8    ディスプレイを用意するステップ
10    信号を入力するステップ
12    信号を変換するステップ
14    全体的補正を実施するステップ
16    局所的補正を実施するステップ
18    出力を補正するステップ
20    ディジタル入力データ信号
21    ビット
22    アドレス値
23    ビット
24    メモリ
26    全体的補正因子
27    整数乗算器
29    整数乗算器
30    より大きなビット深度のディジタル・データ信号
31    整数乗算器
32    全体的に補正された信号
34    局所的補正値
36    ルックアップ表
40    補正されたディジタル信号
42    D/A変換器
44    駆動信号
46    複合ルックアップ表
48    複合補正値
50    全体的補正ルックアップ表
52    整数加算器／減算器
56    制御回路
60    行補正値
62    ルックアップ表
64    列補正値
66    ルックアップ表
68    行アドレス
70    列アドレス
76    全体的アナログ補正
78    電力信号
80    補正された電力信号
82    全体的電力補正
【図１】
0005400295.tif 000002
【図２】
0005400295.tif 000003
【図３】
0005400295.tif 000004
【図４】
0005400295.tif 000005
【図５】
0005400295.tif 000006
【図６】
0005400295.tif 000007
【図７】
0005400295.tif 000008
【図８】
0005400295.tif 000009